(57)【特許請求の範囲】
【請求項１】
コンクリート打設時に型枠の内面に取り付けて使用される保水断熱シートであって、
シート内部に設けられた互いに独立した複数の空洞と、この空洞の下端部近傍に設けられ、コンクリートが打設される側の表面に開口する第１の連通路と、前記型枠へ取り付けられる側の表面に設けられた背面溝と、前記空洞の上端部近傍に設けられ、前記背面溝に連通する第２の連通路とを備え、コンクリート中の水分が前記第１の連通路を経て前記空洞に流れ込み、前記空洞が水で満杯になったときには前記空洞内の水が前記第２の連通路を経て前記背面溝に排出され、前記コンクリートが吸水性を帯びたときには前記空洞内の水が前記第１の連通路を経てコンクリート側へ流入することにより前記空洞が保水室として機能することを特徴とする保水断熱シート。
【発明の詳細な説明】
【０００１】
【発明の属する技術分野】
本発明は、コンクリート打設用保水断熱シートに係り、特に、コンクリート打設直後の余剰水を吸収すると共に、硬化開始後のコンクリートに水分を補給することが可能なコンクリート打設用保水断熱シートに関する。
【０００２】
【従来の技術】
コンクリートの耐久性を高めるうえで、コンクリートの中性化を防止することは重要な要因の一つである。中性化は、空気中の炭酸ガスがコンクリート中に侵入し、コンクリートに含まれるアルカリ成分と結合することにより起きる。この中性化を防止するには、コンクリート表面の空隙の原因となる余分な練混ぜ水を排出し、コンクリートの緻密化を図ることにより炭酸ガスの侵入を阻止することが有効である。
【０００３】
コンクリート打設時に余剰水を排出する手法として、例えば特開平６−２７２３７５号公報には、型枠のコンクリート打設面に、ポリエステルシート等の透水性シートと、綿布やポリエステル・綿混合布等からなる保水性シートとを積層することが開示されている。この手法によれば、コンクリート中の余剰水が保水性シートで吸収され、保水性シートで吸収し切れない水分は排水性シートを通して外部に排出される。
【０００４】
ところで、コンクリート打設後、硬化が進んで水和反応が停止した後に、水和収縮に伴う間隙や未水和による毛細管空隙が残る。このような水和反応の後に残る間隙・空隙の発生を防止するには、コンクリートがある程度硬化した段階で、コンクリートへ水分を補給することが有効である。
【０００５】
また、コンクリートの打設後、コンクリートの水和発熱により内部温度が上昇する。したがって、コンクリートの材令初期においては、十分な強度が発現しないうちに表面温度が低下すると、コンクリート内部との温度差によって、コンクリート表面に温度ひび割れが発生するおそれがある。このような温度ひび割れを防止すべくコンクリート表面を保温することも重要である。
【０００６】
【発明が解決しようとする課題】
しかしながら、上記公報に開示される手法では、保水性シートに蓄えられた水分が硬化し始めたコンクリートへ供給されるものの、その供給量は保水性シートを構成する綿布や混合布の保水能力によって制限されてしまう。このため、上記の手法では、十分な量の水分をコンクリートへ供給することができない。この点、上記の手法は、水和収縮に伴う間隙や未水和による毛細間空隙の発生を防止するうえで適したものではなかった。また、保水性シートおよび排水性シートとして布やポリエステルシートが用いられており、コンクリート表面を保温して温度ひび割れを防止することについても何ら考慮されていない。
【０００７】
本発明は上記の点に鑑みてなされたものであり、コンクリート打設時に余分な練混ぜ水を吸収してコンクリートの緻密化を図れると共に、硬化開始後のコンクリートに十分な量の水分を補給することで水和反応の停止による空隙・間隙の発生を防止し、かつ、コンクリート表面の優れた保温性を発揮することで温度ひび割れの発生を防止することが可能なコンクリート打設用保水断熱シートを提供することを目的とする。
【０００８】
【解決を解決するための手段】
上記の目的は、請求項１に記載する如く、コンクリート打設時に型枠の内面に取り付けて使用される保水断熱シートであって、シート内部に設けられた互いに独立した複数の空洞と、この空洞の下端部近傍に設けられ、コンクリートが打設される側の表面に開口する第１の連通路と、前記型枠へ取り付けられる側の表面に設けられた背面溝と、前記空洞の上端部近傍に設けられ、前記背面溝に連通する第２の連通路とを備え、コンクリート中の水分が前記第１の連通路を経て前記空洞に流れ込み、前記空洞が水で満杯になったときには前記空洞内の水が前記第２の連通路を経て前記背面溝に排出され、前記コンクリートが吸水性を帯びたときには前記空洞内の水が前記第１の連通路を経てコンクリート側へ流入することにより前記空洞が保水室として機能する保水断熱シートにより達成される。
【０００９】
本発明において、第１の連通路は、シート内部に設けられた空洞の下端部近傍に設けられると共に、コンクリートが打設される側の表面に開口する。このため、打設されたコンクリートに含まれる過剰な水は、その水圧により第１の連通路を経て空洞に流入する。その際、空洞に存在していた空気は、空洞の上端部近傍に設けられた第２の連通路を経て背面溝から排出される。また、空洞が水で満杯になった後も、その水が第２の連通路を経て背面溝へ溢れることで、コンクリートから空洞への水の流入は可能である。一方、コンクリートがある程度硬化すると、空洞に溜まった水分がコンクリート側へ流出し、コンクリートへの水分補給が行われる。その際、コンクリートへ補給可能な水分量は空洞の容積に応じた量になるので、空洞の容積を適宜設計することによってコンクリートへの十分な水分補給量を確保することができる。また、空洞内の空気の断熱特性によってコンクリート表面の保温が図られる。
【００１０】
【発明の実施の形態】
図１および図２は、それぞれ、本発明の一実施形態である保水断熱シート１０がコンクリート打設用の型枠１２に取り付けられた状態を示す斜視図および断面図である。保水断熱シート１０は型枠１２の内壁面に例えば接着材等で張り付けられており、この状態でコンクリートの打設が行われる。なお、図２には、コンクリート内の余剰水が保水断熱シート１０に吸収される際の水の動きを矢印で示している。
【００１１】
保水断熱シート１０は、その内部に、互いに独立した空洞である複数の保水室１４を備えている。また、保水断熱シート１０の表面（コンクリート打設側の面）には、複数の第１連通穴１６が開口している。第１連通穴１６は、夫々、保水室１４の下端部近傍に連通している。また、保水断熱シート１０の背面（型枠１２へ取付けられる側の面）には、鉛直方向に延びる複数の背面溝１８が設けられている。この背面溝１８は、保水断熱シート１０が型枠１２に張り付けられた状態で、保水室１４を大気中に連通させる通路となる。保水室１４は、夫々、その上端部近傍に設けられた第２連通穴２０を介して何れかの背面溝１８に連通している。
【００１２】
上記の構成によれば、コンクリート打設直後は、コンクリートに含まれる余分な練混ぜ水がその水圧により第１連通穴１６を通って保水室１４へ流入する。この場合、保水室１４内に存在していた空気は、流入した水に押し出されて第２連通穴２０を経て背面溝１８から外部へ排出される。また、保水室１４が水で満杯になった後も、水が第２連通穴２０から溢れ、背面溝１８を通って外部へ排出されることで、コンクリートから水分を吸収し続けることが可能である。
【００１３】
一方、打設したコンクリートが硬化してくると、コンクリートは吸水性を帯びるようになり、保水室１４に溜まった水が第１連通穴１６を通ってコンクリート側へ流出する。すなわち、コンクリート打設直後に吸収された余分な練混ぜ水が、今度は、水和反応を継続させるのに必要な水としてコンクリートに補給されることになる。
【００１４】
また、保水断熱シート１０からは、保水室１４の容積分の水分をコンクリートへ補給することができるので、保水室１４の容積を適宜設計することにより、保水断熱シート１０からコンクリートへ水和反応を継続させるのに十分な量の水分を供給することができる。すなわち、保水断熱シート１０の水分供給能力を保水室１４の容積によって調整できるので、上記従来技術の如く綿布や混合布等の吸水材を用いる場合に比べて、コンクリートに対して十分な量の水分を補給できるのである。
【００１５】
したがって、本実施形態の保水断熱シート１０によれば、余剰水の除去によりコンクリート表面の緻密化を図ることができると共に、水和反応の促進により水和収縮に伴う間隙や未水和部分での毛細管空隙の発生を抑制することができる。このため、大気中からコンクリート内への炭酸ガスの侵入をより確実に阻止して、コンクリートの中性化を防止することができ、これにより、コンクリートの耐久性を向上させることができる。また、コンクリートの間隙・空隙の発生が抑制されることで、コンクリートの強度増大も図られる。
【００１６】
さらに、保水断熱シート１０からコンクリートへ水分が補給されると、保水室１４は中空状態となる。この保水室１４内の空気が有する断熱作用により、保水断熱シート１０は高い保温性を有することになる。このため、材令初期のコンクリート表面部を保温して、コンクリート内部との温度差に起因する温度ひび割れの発生を防止することもでき、これにより、コンクリートの耐久性および強度を一層向上させることができる。
【００１７】
また、保水断熱シート１０の厚さを大きくして、その剛性を高めることにより、保水断熱シート１０に型枠１２を保持する役割を持たせることもできる。この場合、型枠１２を保持する内端太・外端太を簡略化または省略して、型枠設置工程における省力化を図ることが可能となる。
【００１８】
さらに、保水断熱シート１０の表面形状を、コンクリートの所望の仕上げ面性状に応じた形状に形成しておくことにより、例えば、タイル目地状の打ち上がりや、下地モルタルとの良好な接着性を得るための凹凸状の打ち上がり等を容易に実現することもできる。
【００１９】
【発明の効果】
以上説明したように、本発明に係る保水断熱シートによれば、コンクリートから水分を吸収して空洞に蓄えることができると共に、空洞に蓄えた水分をコンクリートに補給することができる。このため、コンクリート打設直後には余分な練混ぜ水を吸収してコンクリート表面の緻密化を図ることができ、かつ、コンクリートの硬化開始後には、コンクリートに水分を供給して間隙・空隙の発生を防止できる。この場合、空洞の容積を適宜設計することでコンクリートへ十分な水分補給量を確保することが可能である。従って、本発明によれば、コンクリート内部への炭酸ガスの侵入を阻止し、中性化を防止することによりコンクリートの耐久性を向上できると共に、コンクリートの強度を増大させることもできる。さらに、保水断熱シート内部の空洞の空気が有する断熱作用により、コンクリート表面を保温することができる。このため、コンクリート表面の温度ひび割れを防止することができ、これにより、コンクリートの耐久性および強度を一層向上させることができる。
【図面の簡単な説明】
【図１】本発明の一実施形態である保水断熱シートが型枠に取り付けられた状態を示す斜視図である。
【図２】図１の断面図である。
【符号の説明】
１０  保水断熱シート
１２  型枠
１４  保水室
１６  第１連通路
１８  背面溝
２０  第２連通路
【図１】
0003680680.tif 000002
【図２】
0003680680.tif 000003